(57)【要約】【課題】光を透過する保護部材に結露の曇りが発生することを阻止できる露光装置及び画像形成装置を提供する。【解決手段】収納ケース３は、多面鏡１０１、ｆθレンズ１０ａ、１０ｂ、及び防塵ガラス１４が取り付けられている。カバー２は、収納ケース３に取り付けられて多面鏡１０１及びｆθレンズ１０ａ、１０ｂを覆う。防塵ガラス１４は、多面鏡１０１及びｆθレンズ１０ａ、１０ｂの収容空間を、収納ケース３及びカバー２の外部空間から隔離する。壁部３ｋは、防塵ガラス１４を取り囲むように配置されて、外部空間に連通しつつ空気の移動が規制された隣接空間１４ｈを、防塵ガラス１４の外側に形成する。【選択図】図６
2017076000.tif 000002
【特許請求の範囲】
【請求項１】
光を投射し、露光を行なう発光手段と、
前記発光手段を収容する筐体と、
前記筐体に設けられ、前記発光手段からの光を透過させる保護部材と、
前記保護部材を透過した前記発光手段からの光を案内するように前記筐体に設けられた空間形成部と、を有することを特徴とする露光装置。
【請求項２】
前記空間形成部は、前記筐体外部を流れるエアが前記保護部材に直接触れることがないようにするための空洞を形成していることを特徴とする請求項１に記載の露光装置。
【請求項３】
前記空間形成部は、前記筐体外部を流れるエアが前記保護部材に直接触れることがないようにするための距離となるような空洞を形成していることを特徴とする請求項１に記載の露光装置。
【請求項４】
前記空間形成部の空洞は、前記保護部材を透過した光を上下に挟み込むように配置された壁部であることを特徴とする請求項３に記載の露光装置。
【請求項５】
前記空間形成部の空洞は、前記保護部材の周りを囲むように配置された壁部であることを特徴とする請求項３に記載の露光装置。
【請求項６】
前記距離をＤとし、前記保護部材の高さをｈとするとき、
Ｄ  ≧  ｈ  であることを特徴とする請求項４又は５に記載の露光装置。
【請求項７】
前記壁部は、前記筐体に固定されていることを特徴とする請求項４乃至６のいずれか１項に記載の露光装置。
【請求項８】
前記壁部は、前記筐体の一部であることを特徴とする請求項４乃至６のいずれか１項に記載の露光装置。
【請求項９】
前記壁部は、前記筐体と一体に形成されていることを特徴とする請求項４乃至６のいずれか１項に記載の露光装置。
【請求項１０】
前記保護部材は、下方へ向かって前記発光手段側へ次第に位置するように傾斜させて前記筐体に取り付けられていることを特徴とする請求項１乃至９のいずれか１項に記載の露光装置。
【請求項１１】
感光体と、
前記感光体を露光して前記感光体に静電潜像を形成する請求項１乃至１０のいずれか１項に記載の露光装置と、
静電潜像が形成された前記感光体にトナーを供給してトナー像を形成する現像装置と、を備え、記録媒体に画像を形成することを特徴とする画像形成装置。
【請求項１２】
感光体と、
前記感光体を露光して前記感光体に静電潜像を形成する請求項１乃至１０のいずれか１項に記載の露光装置と、
静電潜像が形成された前記感光体にトナーを供給してトナー像を形成する現像装置と、
前記トナー像を記録媒体に加熱定着する定着装置と、を備え、
前記筐体外部を流れるエアは少なくとも前記定着装置から発生するエアであることを特徴とする画像形成装置。
【発明の詳細な説明】
【技術分野】
【０００１】
レーザービームを用いて感光体を走査露光する露光装置、及び露光装置を装備した画像形成装置に関する。
【背景技術】
【０００２】
レーザービームを用いて感光体を走査露光することによりシート等の材料に画像を形成する画像形成装置が広く用いられている。露光装置は精密光学機械であるため、露光装置のレーザービーム走査光の射出窓には光を透過させる保護部材が装着され、レーザービームの透過性を確保しつつ、露光装置内部の光学素子や発光素子基板に対する防塵、防湿性能を確保している。
【０００３】
このような画像形成装置を低温環境で使用すると、画像形成の開始直後に、保護部材に結露の曇りが発生して、露光装置内に配置される発光手段からのレーザービーム出力が低下することがある。画像形成装置の定着装置等で発生した暖かい空気に含まれる水蒸気が冷たい透明部材の表面で結露するためである。
【０００４】
特許文献１では、画像形成装置を低温環境で使用する際に前もって露光装置の内部空間の空気を攪拌して暖めておくことにより、画像形成開始後、透明な保護部材が装着された射出窓に結露の曇りが発生することを阻止している。
【先行技術文献】
【特許文献】
【０００５】
【特許文献１】特開２００６−２５９７５２号公報
【発明の概要】
【発明が解決しようとする課題】
【０００６】
露光装置の内部空間の空気を暖めておく場合、内部空間の空気を暖めるための電力消費、内部空間の空気を暖めるための運転騒音、画像形成の待ち時間等の新たな問題が発生してしまう。
【０００７】
本発明は、簡易な構成で、発光手段からの光を透過させる保護部材に結露の曇りが発生することを阻止できる露光装置を提供することを目的としている。
【課題を解決するための手段】
【０００８】
本発明の露光装置は、光を投射し、露光を行なう発光手段と、前記発光手段を収容する筐体と、前記筐体に設けられ、前記発光手段からの光を透過させる保護部材と、前記保護部材を透過した前記発光手段からの光を案内するように前記筐体に設けられた空間形成部と、を有するものである。
【発明の効果】
【０００９】
本発明の露光装置では、発光手段からの光を透過させる保護部材に結露の曇りが発生することを阻止できる。
【図面の簡単な説明】
【００１０】
【図１】画像形成装置の構成の説明図である。
【図２】垂直断面で見た露光装置の構成の説明図である。
【図３】水平断面で見た露光装置の構成の説明図である。
【図４】露光装置の制御系のブロック図である。
【図５】防塵ガラスのオフセット状態の説明図である。
【図６】防塵ガラスのオフセットによる効果の説明図である。
【図７】比較例の定着装置の構成の説明図である。
【図８】その他の実施の形態の例の説明図である。
【発明を実施するための形態】
【００１１】
以下、図面を参照して本発明の実施の形態を詳細に説明する。
【００１２】
＜実施の形態１＞
（画像形成装置）
図１は画像形成装置の構成の説明図である。画像形成装置１００は、装置本体４００の上部に画像読取装置３００を配置した電子写真方式のモノクロ複写機である。画像読取装置３００は、フラットベッドスキャナである読取部３０３の上部に、自動原稿給送装置である原稿給送部２００を装備している。
【００１３】
画像形成部４３０は、感光ドラム４０２にトナー像を形成してシートＰに転写する。画像形成部４３０は、感光ドラム４０２の周りに、コロナ帯電器４２３、露光装置８、現像装置４０３、転写帯電器４０６、及びドラムクリーニング装置４０８を配置している。
【００１４】
感光ドラム４０２は、金属円筒の周面に感光層を有する。コロナ帯電器４２３は、コロナ放電に伴う荷電粒子を感光ドラム４０２に照射して感光ドラム４０２を一様な電位に帯電させる。露光装置の一例である露光装置８は、感光体の一例である感光ドラム４０２を露光して感光ドラム４０２に画像の静電潜像を形成する。
【００１５】
現像装置の一例である現像装置４０３は、静電潜像が形成された感光ドラム４０２にトナーを供給してトナー像を形成する。現像装置４０３は、現像スリーブ４０３ａに現像剤（磁性トナー）を担持して、感光ドラム４０２の静電潜像をトナー像に現像する。転写帯電器４０６は、転写部Ｔへ搬送されて感光ドラム４０２に密着したシートＰを帯電させて感光ドラム４０２のトナー像をシートＰに転写させる。
【００１６】
装置本体４００の下部に配置された給紙部４０４は、カセット４０５に記録媒体であるシートＰを収容してシートＰを転写部Ｔへ給送する。ピックアップローラ４２０は、カセット４０５からシートＰを繰り出して分離ローラ４２１へ給送する。分離ローラ４２１は、重送シートを分離して最上位のシートＰをレジストローラ４２４へ給送する。レジストローラ４２４は、感光ドラム４０２のトナー像にタイミングを合わせて転写部ＴへシートＰを給送する。
【００１７】
転写部Ｔでトナー像を転写されたシートＰは、搬送ベルトにより定着装置４０７へ搬送されて表面に画像を定着される。定着装置４０７により画像を加熱定着されたシートＰは、排出ローラ４２８に搬送され、排出ローラ４２８によって排出トレイ４２６に排出される。
【００１８】
（両面印刷）
シートの両面に画像を形成する場合、定着装置４０７で第１面の画像を定着されたシートは、切替部材４０９、４１７、４１３に案内されて反転パス４１２に送り込まれる。その後、シートは、後端を先頭にして反転パス４１２から送り出され、切替部材４１３に案内されて帰還パス４１１に送り込まれる。この間にシートは、スイッチバック搬送されて、表裏が反転される。
【００１９】
シートは、帰還パス４１１を通じて表裏が反転された状態でレジストローラ４２４へ給送される。レジストローラ４２４は、シートを転写部Ｔへ給送して、感光ドラム４０２のトナー像をシートの第２面に転写させる。
【００２０】
第１面に続いて第２面にもトナー像が転写されたシートは、定着装置４０７で第２面のトナー像を定着され、排出ローラ４２８によって排出トレイ４２６に排出される。
【００２１】
（露光装置）
図２は垂直断面図で見た露光装置の構成の説明図である。図３は平面図で見た露光装置の構成の説明図である。図４は露光装置の制御系のブロック図である。図３中、（ａ）は外観図、（ｂ）は断面図である。
【００２２】
図２に示すように、露光装置８は、レーザービームＬにより感光ドラム４０２を走査露光する。露光装置８は、レーザービームＬを回転する多面鏡１０１で反射させて連続的に偏向角度を変化させることにより、回転する感光ドラム４０２の周面を、円筒面の母線に沿って走査露光する。
【００２３】
コロナ帯電器４２３により暗部電位ＶＤ（−５００Ｖ）に帯電された感光ドラム４０２の周面は、露光装置８の露光により明部電位ＶＬ（−１００Ｖ）まで電位が低下して、感光ドラム４０２の周面に画像の静電潜像が形成される。
【００２４】
ｆθレンズ１０ａ及びｆθレンズ１０ｂは、レーザービームＬを収束させて、感光ドラム４０２の周面位置に、所定スポットサイズのビームスポットを結像させる。
【００２５】
図３の（ａ）に示すように、露光装置８は、ケーシングとしての収納ケース３、カバー２、レーザー発光ダイオードの駆動基板１２２の一部を外部空間に露出させている。収納ケース３の上面に、複数のビスを用いてカバー２が取り付けられ、内側の収容空間の天井を塞いでいる。
【００２６】
図３の（ｂ）に示すように、露光装置８の収納ケース３は、光源ユニット１２、アナモフィックレンズ１１、開口絞り１３、ポリゴンモータユニット１、ｆθレンズ１０ａ、ｆθレンズ１０ｂ、防塵ガラス１４が取り付けられている。
【００２７】
発光手段である光源ユニット１２は、レーザー発光ダイオード１２１の駆動基板１２２上にレーザー発光ダイオード１２１を取り付けている。光源素子の一例であるレーザー発光ダイオード１２１は、レーザービームを発生して走査部材の一例である多面鏡１０１に入射させる。
【００２８】
アナモフィックレンズ１１は、レーザー発光ダイオード１２１から円錐状に発散して射出されるレーザービームをほぼ平行光に収束させる。開口絞り１３は、円形上の開口を用いて投射するレーザービームの断面形状を円形に整形する。
【００２９】
ポリゴンモータユニット１は、多面鏡１０１、ポリゴンモータ１０２、ＩＣ基板１０３、及びコネクタ１０４を一体に組み立てて、一体に交換可能に構成されている。多面鏡１０１は、レーザービームＬを走査する。多面鏡１０１は、回転しつつ平坦な４面でレーザービームを反射して、レーザービームＬを連続的に偏向させる。ポリゴンモータ１０２は、多面鏡１０１を回転させる。ＩＣ基板１０３は、ポリゴンモータ１０２を回転制御する。コネクタ１０４は、光源ユニット１２の外部とＩＣ基板１０３とを電気的に接続する。
【００３０】
レンズ部材の一例であるｆθレンズ１０ａ、１０ｂは、多面鏡１０１により走査されたレーザービームを感光ドラム４０２の周面に結像させる。ｆθレンズ１０ａ、１０ｂは、多面鏡１０１により走査されたレーザービームを走査範囲の全域で収束させて、図２に示す感光ドラム４０２の円筒面上に等しいスポットサイズのビームスポットを形成する。
【００３１】
筐体の一例である収納ケース３及びカバー２は、両者の間に、多面鏡１０１、ｆθレンズ１０ａ、１０ｂ、及びレーザー発光ダイオード１２１を収容する収容空間を形成する。本体部材の一例である収納ケース３には、多面鏡１０１、ｆθレンズ１０ａ、１０ｂ、及び防塵ガラス１４が取り付けられている。蓋部材の一例であるカバー２は、収納ケース３に取り付けられて多面鏡１０１及びｆθレンズ１０ａ、１０ｂを覆う。
【００３２】
収納ケース３のレーザービームＬが射出するレーザー開口部に防塵ガラス１４が設けられている。保護部材の一例である防塵ガラス１４は、収納ケース３に取り付けられ、ｆθレンズ１０ａ、１０ｂから射出したレーザービームを透過させる。
【００３３】
防塵ガラス１４は、多面鏡１０１及びｆθレンズ１０ａ、１０ｂの収容空間と、収納ケース３及びカバー２の外部空間と、を隔離する。防塵ガラス１４は、露光装置８の防塵対策として、収納ケース３のレーザー開口部に設けられ、露光装置８の内部の収容空間への塵埃侵入を阻止する。
【００３４】
図２に示すように、防塵ガラス１４は、下方へ向かってレンズ部材側の一例であるｆθレンズ１０ｂ側へ次第に位置するように傾斜している。付着したほこりやごみが重力によって自然に落下し易いからである。
【００３５】
図４に示すように、画像読取装置３００は、原稿給送部２００によって給送された原稿をフラットベッドスキャナによって流し読みして、原稿の画像の画像データを生成する。
【００３６】
装置本体４００は、露光装置８を制御する画像コントローラ部５０４を有する。画像コントローラ部５０４は、画像読取装置３００又は外部装置のデータ出力部５０２から画像形成を行う画像の画像データを取得する。
【００３７】
信号処理部５０３は、画像データを展開して走査線に沿った濃度分布の走査線データを生成し、走査線データをＯＮ−ＯＦＦ変調して画像信号を生成する。
【００３８】
制御部５０１は、装置本体４００の各ユニットの動作に連係させて露光装置８を制御する。制御部５０１は、ポリゴンモータ１０２を一定速度で回転させ、所定のタイミングでポリゴンモータ１０２の回転／停止を制御する。制御部５０１は、所定のタイミングで光源ユニット１２に画像信号を送出する。
【００３９】
光源ユニット１２は、画像データを展開した走査線データをＯＮ−ＯＦＦ変調した画像信号でレーザー発光ダイオード１２１を駆動してレーザービームＬを発生する。
【００４０】
（結露の問題）
図１に示すように、低温環境で画像形成装置１００をユーザーが使用し、画像形成を実行すると、画像形成装置１００の内部で水蒸気が発生することがある。その原因のひとつとして、吸湿度の高い紙のシートが高温になった定着装置４０７によって温められることにより、紙組織に含まれる水分が蒸発することが挙げられる。
【００４１】
ユーザーが吸湿したシートを印刷したとき、画像形成装置１００では、吸湿したシートが高温の定着装置４０７を通過する際にシートから大量の水分が蒸発し、画像形成装置１００の内部の湿度が急激に上昇することがある。
【００４２】
定着装置４０７で発生した水蒸気は、定着装置４０７等のユニットを冷却するために設けられた冷却ファン４４０の送風によって、露光装置８の近傍の空間へと導かれる。
【００４３】
図２に示すように、防塵ガラス１４の温度が周辺部品よりも低くて、防塵ガラス１４と画像形成装置１００の内部空間の温度差が大きい場合、防塵ガラス１４の表面に水蒸気が結露して防塵ガラス１４が曇ることがある。画像形成装置１００で発生した水蒸気は、露光装置８の側面に設けられた防塵ガラス１４を結露させることがある。
【００４４】
防塵ガラス１４が結露した場合、露光装置８から照射されたレーザービームＬの光量が低下し、シートに形成された画像の濃度低下が発生し、画像不良として観察される。このため、画像形成装置１００で発生した水蒸気は、画像不良を発生させることがある。
【００４５】
（防塵ガラスのオフセット）
図５は防塵ガラスのオフセット状態の説明図である。図６は防塵ガラスのオフセットによる効果の説明図である。
【００４６】
図５に示すように、実施の形態１では、空間形成部の一例である壁部３ｋは、空洞の一例である隣接空間１４ｈを防塵ガラス１４の外側に形成する。隣接空間１４ｈは、防塵ガラス１４に接する空気の移動が規制された外部空間に連通する空間である。上下の壁部３ｋは、庇のように突出して、防塵ガラス１４から射出するレーザービームを、多面鏡１０１によるレーザービームの走査方向と直角な方向に挟み込む。
【００４７】
壁部３ｋは、保護部材の一例である防塵ガラス１４の周囲に配置して、収納ケース３に根元を固定されている。壁部３ｋは、収納ケース３の一部をなして、収納ケース３と一体に形成されている。壁部３ｋは、一周の全体が一様な高さに形成される。
【００４８】
露光装置８は、防塵ガラス１４を収納ケース３の側面よりもｆθレンズ１０ｂ側に後退させて（オフセットさせて）配置している。全体が金属で形成された収納ケース３の側面の一部分を内側へ後退させ、後退した部分に防塵ガラス１４を取り付けている。防塵ガラス１４をｆθレンズ１０ｂの近傍に設けて、従来よりも防塵ガラス１４を、収納ケース３の中心側へ後退させた位置に配置している。これにより、防塵ガラス１４の周りを囲む壁部３ｋが、筐体外部から湿った空気が流れ込みにくい隣接空間１４ｈを収納ケース３に形成する。防塵ガラス１４は、下方へ向かってｆθレンズ１０ａ、１０ｂ側へ次第に位置するように傾斜している。
【００４９】
防塵ガラス１４のオフセット距離Ｄは、収納ケース３の側面３ｅから防塵ガラス１４の表面までの距離である。防塵ガラス１４のオフセット距離Ｄは、筐体外部である収納ケース３の外側を流れるエアが防塵ガラス１４に直接触れることがないようにするための距離である。防塵ガラス１４のオフセット距離Ｄは、収納ケース３に形成された壁部３ｋの先端から防塵ガラス１４の中央表面までの距離に等しい。防塵ガラス１４のオフセット距離Ｄは、防塵ガラス１４に隣接する隣接空間１４ｈの深さに等しい。
【００５０】
隣接空間１４ｈの入口の防塵ガラス１４の高さ方向の長さｈは、多面鏡１０１によるレーザービームＬの走査方向と直角な方向における防塵ガラス１４の長さとほぼ同じである。そして、防塵ガラス１４のオフセット距離Ｄは、隣接空間１４ｈの入口の高さ方向の長さｈよりも大きい。
【００５１】
Ｄ  ≧  ｈ
【００５２】
また、多面鏡１０１によるレーザービームの走査方向と直角な方向におけるｆθレンズ１０ｂの長さ（高さ）をｈ’とするとき、防塵ガラス１４のオフセット距離Ｄは、高さｈ’よりも大きい。
【００５３】
Ｄ  ≧  ｈ’
【００５４】
表１に示すように、防塵ガラス１４のオフセット距離Ｄは、大きいほど防塵ガラス１４に対する結露防止効果が高いことが確認されている。一方、レーザービームの走査方向である防塵ガラス１４の幅方向の長さは結露防止効果にあまり関与しないことが確認されている。
【００５５】
【表１】
2017076000.tif 000003
【００５６】
ここで、隣接空間１４ｈの入口の防塵ガラス１４の高さ方向の長さｈは１３ｍｍ、防塵ガラス１４の高さは１３ｍｍ、ｆθレンズ１０ｂの高さは１２ｍｍ、である。露光装置８の外形寸法は、Ｌ１３５ｍｍ×Ｗ２７０ｍｍ×Ｈ３０ｍｍである。
【００５７】
図６に示すように、壁部３ｋは、防塵ガラス１４の外側に湿った空気が流れ込みにくい空間１４ｈを形成して、防塵ガラス１４が結露することを防止している。壁部３ｋで囲まれた防塵ガラス１４に隣接する空間１４ｈは、露光装置８の外側空間を流れる高温の水蒸気を含む空気Ｆが防塵ガラス１４に直接吹き付けることを回避させる。空間１４ｈは、高温の水蒸気を含む空気Ｆを防塵ガラス１４の手前で滞留させて、空気Ｆが防塵ガラス１４へ到達する時期を遅らせることができる。
【００５８】
（比較例）
図７は比較例の露光装置の構成の説明図である。図７に示すように、比較例の露光装置８Ｈは、防塵ガラス１４を収納ケース３の側面位置に設けている。
【００５９】
このため、比較例の露光装置８Ｈは、画像形成装置１００の内部で発生した高温の水蒸気を含む空気Ｆが防塵ガラス１４の外側面に接触して結露を発生し易く、防塵ガラス１４が曇り易い。
【００６０】
そこで、比較例の露光装置８Ｈでは、特許文献１に示されるように、画像形成装置１００の電源投入時にポリゴンモータ１０２を画像形成時よりも高速で強制的に回転させる。高速回転によってポリゴンモータ１０２を昇温させ、昇温の発熱と空気の攪拌によって収納ケース３内の空気を暖め、露光装置８Ｈの全体を温めることにより、防塵ガラス１４の結露を防止している。
【００６１】
比較例の露光装置８Ｈは、ポリゴンモータ１０２の発熱と攪拌によって、露光装置８Ｈの全体を温めるには時間がかかる。また、ポリゴンモータ１０２の高速回転時の風切音の発生が問題となる。更にポリゴンモータ１０２の空回転によって露光装置８Ｈの寿命が短くなる。
【００６２】
これに対して実施の形態１では、ポリゴンモータ１０２を高速で空回転させることなく、露光装置８の防塵ガラス１４の結露を防止することができる。
【００６３】
（実施の形態１の効果）
実施の形態１では、壁部３ｋは、防塵ガラス１４に接する空気の移動が規制された外部空間に連通する空間形成部である隣接空間１４ｈを防塵ガラス１４の外側に形成する。このため、外部空間から防塵ガラス１４に流れ込む湿った空気の量を規制して結露を回避することができる。そして、防塵ガラス１４の結露を回避することで、防塵ガラス１４におけるレーザービームの損失が発生することを回避して、画像濃度の再現性の高い良質な画像を形成できる。
【００６４】
実施の形態１では、壁部３ｋは、防塵ガラス１４から射出するレーザービームをレーザービームの走査方向と直角な方向に挟み込む。このため、防塵ガラス１４のレーザービーム走査方向の広い範囲で防塵ガラス１４に吹き付ける湿った空気量を規制できる。
【００６５】
実施の形態１では、壁部３ｋは、防塵ガラス１４の周りを取り囲むように配置されている。このため、防塵ガラス１４の周りのどの方向から防塵ガラス１４へ向かって湿った空気が吹き付けても、防塵ガラス１４へ向かう湿った空気の流れを規制できる。
【００６６】
実施の形態１では、壁部３ｋの防塵ガラス１４からの高さ（距離）は、レーザービームＬの走査方向と直角な方向における防塵ガラス１４の長さよりも大きい。このため、防塵ガラス１４へ向かって湿った空気が吹き付けた際に、防塵ガラス１４の中央に到達する湿った空気量が少なくて済む。
【００６７】
実施の形態１では、壁部３ｋは、収納ケース３に固定されている。このため、壁部３ｋを支持する部材が不要である。壁部３ｋと露光装置８とを一体に交換できる。
【００６８】
実施の形態１では、壁部３ｋは、収納ケース３の一部である。壁部３ｋは、収納ケース３と一体に形成されている。このため、別部材の壁部３ｋを製造して収納ケース３に取り付ける必要が無い。装置本体４００の内部の湿度が高い場合の防塵ガラス１４の結露を、簡易的な方法で部品追加等のコストアップ無く防止できる。
【００６９】
実施の形態１では、防塵ガラス１４は、下方へ向かってｆθレンズ１０ａ、１０ｂ側へ次第に位置するように傾斜している。このため、結露に作用する重力が防塵ガラス１４から結露を引き離す方向に作用して結露の蒸発を助ける。
【００７０】
実施の形態１では、水分を大量に吸湿した吸湿紙に対して画像形成を行って装置本体４００内の湿度が大幅に上昇した場合でも、防塵ガラス１４に水蒸気が付着しにくい。ユーザーが吸湿した用紙を大量に印刷しても、定着装置４０７を用紙が通過のする際に発生する水蒸気による防塵ガラス１４の結露を防止することが可能となる。
【００７１】
実施の形態１では、防塵ガラス１４を側面から内側にオフセットすることで防塵ガラス１４の結露を防止して良好な画像を得ることができる。このため、防塵ガラス１４の結露防止の為のヒータを設けることや、新たな部品を追加することが無く、露光装置８のコストアップの要因を少なくすることができる。
【００７２】
＜その他の実施の形態＞
図８はその他の実施の形態の例の説明図である。本発明の露光装置は、実施の形態１で説明した具体的な構成には限定されない。構成部品の寸法、材質、形状、その相対配置等は、特に特定的な記載がない限りは、この発明の範囲をそれらのみに限定する趣旨のものではない。本発明は、実施の形態１の構成の一部又は全部を等価な部材に置き換えた別の実施の形態でも実施可能である。
【００７３】
実施の形態１では、複写機の画像形成装置における実施の形態を説明した。しかし、画像形成装置は、プリンタ、ファクシミリ、複合機等であってもよい。シートに白黒画像を形成する画像形成装置には限らず、シートにフルカラー画像を形成する画像形成装置において実施してもよい。
【００７４】
図８の（ａ）に示すように、防塵ガラス１４の表面に、接着剤１５を用いて、庇状の上下一対の防風カバー３ｍ、３ｎを直接取り付けてもよい。
【００７５】
図８の（ｂ）に示すように、溝３ｉを形成した上収納ケース３Ｕと溝３ｊを形成した下収納ケース３Ｌとの間に防塵ガラス１４を挟み込んで、防塵ガラス１４の外側に壁部３ｋを形成してもよい。
【符号の説明】
【００７６】
２  カバー、３  収納ケース、３ｋ  壁部、８  露光装置
１０ａ、１０ｂ  ｆθレンズ、１２  光源ユニット
１４  防塵ガラス（保護部材）
１００  画像形成装置、１０１  多面鏡、１０２  ポリゴンモータ
１２１  レーザー発光ダイオード
４００  装置本体、４０２  感光ドラム、４０３  現像装置
４０６  転写帯電器、４０７  定着装置、４２３  コロナ帯電器
４３０  画像形成部、４４０  冷却ファン
Ｄ  オフセット距離、Ｆ  空気（エア）、Ｌ  レーザービーム、Ｐ  シート
【図１】
2017076000.tif 000004
【図２】
2017076000.tif 000005
【図３】
2017076000.tif 000006
【図４】
2017076000.tif 000007
【図５】
2017076000.tif 000008
【図６】
2017076000.tif 000009
【図７】
2017076000.tif 000010
【図８】
2017076000.tif 000011